【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
ネットワーク内の１つ又は複数のエンティティに関する固有の永続的な識別子を生成する方法であって、１つ又は複数の属性及びエンティティ・タイプに関連する、ネットワーク内の１つ又は複数のエンティティを発見するステップと、前記ネットワーク内で発見された１つ又は複数の前記エンティティ・タイプに対応し、１つ又は複数の固有の永続的な識別子の生成ルールを有する、１つ又は複数の固有の永続的な識別子の生成ルール・セットを検索するステップと、前記固有の永続的な識別子の生成ルール・セット、及び前記１つ又は複数のエンティティに関連する前記１つ又は複数の属性を使用して、前記ネットワーク内で発見された前記１つ又は複数のエンティティに関する固有の永続的な識別子を生成するステップと、を有する方法。
【請求項２】
ネットワーク内の１つ又は複数のエンティティを発見する前記ステップは、ネットワーク発見アプリケーションを使用して１つ又は複数のエンティティを発見するステップを有する、請求項１に記載の方法。
【請求項３】
エンティティは、ハードウェア・デバイスの構成コンポーネント及びハードウェア・デバイスに記憶されたアプリケーションのいずれかを有する、請求項１に記載の方法。
【請求項４】
属性は、シリアル番号、媒体アクセス制御アドレス、ｓｙｓＯｂｊｅｃｔＩＤ、デバイス・モデル番号、ドメイン・ネーム・サーバ名及びインターネット・プロトコル・アドレスのいずれかを有する、請求項１に記載の方法。
【請求項５】
固有の永続的な識別子に関するルールは、当該ルールに従って固有の永続的な識別子を生成する上でエンティティを関連付けなければならない１つ又は複数の属性を識別するルールを有する、請求項１に記載の方法。
【請求項６】
固有の永続的な識別子を生成する前記ステップは、前記固有の永続的な識別子の作成ルールを指示する固有の永続的な識別子を生成するステップを有する、請求項１に記載の方法。
【請求項７】
固有の永続的な識別子に関するルールは、当該ルールに従って固有の永続的な識別子が生成されたときに、固有の永続的な識別子が有効なものと見なされる期間を識別するルールを有する、請求項１に記載の方法。
【請求項８】
固有の永続的な識別子を生成する前記ステップは、固有の永続的な識別子が有効なものと見なされる期間を指示する固有の永続的な識別子を生成するステップを有する、請求項７に記載の方法。
【請求項９】
所与のエンティティに関与する１つ又は複数のエンティティを識別するステップを有する請求項１に記載の方法。
【請求項１０】
関与エンティティは、所与のエンティティの隣接親エンティティ及び所与のエンティティに関与するルート・エンティティのいずれかを有する、請求項９に記載の方法。
【請求項１１】
固有の永続的な識別子を生成する前記ステップは、所与のエンティティに関与する１つ又は複数のエンティティに関連する１つ又は複数の固有の永続的な識別子を使用して固有の永続的な識別子を生成するステップを有する、請求項９に記載の方法。
【請求項１２】
固有の永続的な識別子を生成する前記ステップは、固有の永続的な識別子をメッセージ・ダイジェスト・アルゴリズム５（ＭＤ５）フォーマットで生成するステップを有する、請求項１に記載の方法。
【請求項１３】
固有の永続的な識別子を生成する前記ステップは、固有の永続的な識別子を人間が判読可能なフォーマットで生成するステップを有する、請求項１に記載の方法。
【請求項１４】
ネットワーク内の１つ又は複数のエンティティに関する固有の永続的な識別子を生成するシステムであって、１つ又は複数の属性及びエンティティ・タイプに関連する、ネットワーク内の１つ又は複数のエンティティを識別するように動作する発見コンポーネントと、前記ネットワーク内の前記１つ又は複数のエンティティに関する固有の永続的な識別子を生成するための１つ又は複数のルールを有する、１つ又は複数のルール・セットを記憶するように動作するルール・データ・ストアと、前記ネットワーク内の所与のエンティティに対応する１つ又は複数のルールを有するルール・セットを検索し、検索された前記ルール・セット、及び前記エンティティに関連する前記１つ又は複数の属性を使用して前記エンティティに関する固有の永続的な識別子を生成するように動作するＵＰＩコンポーネントと、を有するシステム。
【請求項１５】
前記発見コンポーネントは、ネットワーク発見アプリケーションを使用してネットワーク内の１つ又は複数のエンティティを識別するように動作する、請求項１４に記載のシステム。
【請求項１６】
前記発見コンポーネントは、所与のエンティティのシリアル番号、所与のエンティティのデバイス・モデル番号、所与のエンティティのｓｙｓＯｂｊｅｃｔＩＤ、所与のエンティティの媒体アクセス制御（「ＭＡＣ」）アドレス、所与のエンティティのインターネット・プロトコル（「ＩＰ」）アドレス及び所与のエンティティに関与する１つ又は複数のエンティティのいずれかを識別するように動作する、請求項１４に記載のシステム。
【請求項１７】
前記ルール・データ・ストアは、１つ又は複数のルールであって、当該１つ又は複数のルールに従って固有の永続的な識別子を生成する上で所与のエンティティを関連付けなければならない前記１つ又は複数の属性を識別する１つ又は複数のルールを有する、１つ又は複数のルール・セットを記憶するように動作する、請求項１４に記載のシステム。
【請求項１８】
前記ルール・データ・ストアは、１つ又は複数のルールであって、当該１つ又は複数のルールに従って生成される１つ又は複数の固有の永続的な識別子が有効なものと見なされる期間を識別する１つ又は複数のルールを有する、１つ又は複数のルール・セットを記憶するように動作する、請求項１４に記載のシステム。
【請求項１９】
前記ルール・データ・ストアは、１つ又は複数のエンティティ・タイプに対応する１つ又は複数のルール・セットを記憶するように動作する、請求項１４に記載のシステム。
【請求項２０】
前記ルール・データ・ストアは、所与のエンティティに関して行われる前記１つ又は複数のルールの評価順序を指示する優先順位情報に関連する１つ又は複数のルールを有する、１つ又は複数のルール・セットを記憶するように動作する、請求項１４に記載のシステム。
【請求項２１】
前記ＵＰＩコンポーネントは、前記ネットワーク内の所与のエンティティに対応する１つ又は複数のルールを有するルール・セットを検索し、前記１つ又は複数のルールに関連する前記優先順位情報に従い、前記１つ又は複数のルールを使用して、前記エンティティに関する固有の永続的な識別子を生成するように動作する、請求項２０に記載のシステム。
【請求項２２】
前記ＵＰＩコンポーネントは、所与のエンティティの前記１つ又は複数の属性の妥当性検査を実行するように動作する、請求項１４に記載のシステム。
【請求項２３】
前記ＵＰＩコンポーネントは、前記固有の永続的な識別子の生成ルールを指示する、エンティティに関する固有の永続的な識別子を生成するように動作する、請求項１４に記載のシステム。
【請求項２４】
前記ＵＰＩコンポーネントは、所与のエンティティに関与する前記１つ又は複数のエンティティの１つ又は複数の固有の永続的な識別子を使用して固有の永続的な識別子を生成するように動作する、請求項１４に記載のシステム。
【請求項２５】
関与エンティティは、所与のエンティティの隣接親エンティティ及び所与のエンティティのルート・エンティティのいずれかを有する、請求項２４に記載のシステム。